(57)【要約】【課題】本発明は、必要に応じて簡単に映像を抑制することのできる携帯映像表示装置を提供することを目的とする。【解決手段】本発明の携帯映像表示装置（１００，４００，５００）は、ユーザに対し映像を表示するための表示器（１０１）と、前記表示器に対し映像信号を供給する映像再生手段（５２０，５３０，５４０）と、前記映像信号の供給期間中、前記表示器に表示される映像を一時的に抑制することの可能なミュート手段（５２０，１０１Ｂ’，１０１Ｂ）とを備えたことを特徴とする。【選択図】      図２
2007221647.tif 000002
【特許請求の範囲】
【請求項１】
ユーザに対し映像を表示するための表示器と、
前記表示器に対し映像信号を供給する映像再生手段と、
前記映像信号の供給期間中、前記表示器に表示される映像を一時的に抑制することの可能なミュート手段と
を備えたことを特徴とする携帯映像表示装置。
【請求項２】
請求項１に記載の携帯映像表示装置において、
前記ミュート手段は、
前記ユーザが操作可能な操作部材を有し、その操作部材が操作されている期間に前記抑制を行う
ことを特徴とする携帯映像表示装置。
【請求項３】
請求項１又は請求項２に記載の携帯映像表示装置において、
前記ミュート手段は、
前記ユーザにおける特定の状態を検出する検出手段を有し、その特定の状態を検出した期間に前記抑制を行う
ことを特徴とする携帯映像表示装置。
【請求項４】
請求項１〜請求項３の何れか一項に記載の携帯映像表示装置において、
前記ミュート手段は、
前記表示器の照明強度を低レベル又はゼロレベルに設定することにより、前記抑制を行う
ことを特徴とする携帯映像表示装置。
【請求項５】
請求項１〜請求項３の何れか一項に記載の携帯映像表示装置において、
前記ミュート手段は、
前記表示器へ供給される前記映像信号のコントラスト及び／又は輝度を低レベル又はゼロレベルに設定することにより、前記抑制を行う
ことを特徴とする携帯映像表示装置。
【請求項６】
請求項１〜請求項５の何れか一項に記載の携帯映像表示装置において、
前記映像再生手段が読み込み可能な映像ファイルを格納する内部メモリを更に備えた
ことを特徴とする携帯映像表示装置。
【請求項７】
請求項１〜請求項６の何れか一項に記載の携帯映像表示装置において、
前記ユーザの身体に装着可能な装着体によって支持されており、
前記表示器は、前記ユーザの眼前に配置可能である
ことを特徴とする携帯映像表示装置。
【請求項８】
請求項１〜請求項７の何れか一項に記載の携帯映像表示装置において、
前記ユーザに対し音声を発するための音声出力器と、
前記音声出力器に対し音声信号を供給する音声再生手段と
を更に備えたことを特徴とする携帯映像表示装置。
【請求項９】
請求項８の何れか一項に記載の携帯映像表示装置において、
前記ミュート手段は、
前記映像を抑制する期間に、前記音声出力器から発せられる音声をも抑制する
ことを特徴とする携帯映像表示装置。
【請求項１０】
請求項８又は請求項９に記載の携帯映像表示装置において、
前記音声再生手段が読み込み可能な音声ファイルを格納する内部メモリを更に備えた
ことを特徴とする携帯映像表示装置。
【請求項１１】
請求項１０に記載の携帯映像表示装置において、
前記音声ファイルは、
前記音声再生手段及び前記映像再生手段が読み込み可能な音声付き映像ファイルである
ことを特徴とする携帯映像表示装置。
【発明の詳細な説明】
【技術分野】
【０００１】
本発明は、ヘッドマウントディスプレイ（以下、「ＨＭＤ」という。）、アイグラスディスプレイなどの携帯映像表示装置に関する。
【背景技術】
【０００２】
ＨＭＤは、ユーザの頭部に装着可能な携帯映像表示装置であり、外出先の施設や乗り物内などで所望の映像を観察するのに便利である（特許文献１等参照）。但し、使用中にユーザの注意が外界に向けられたときには、映像が邪魔になるので、再生を停止させたり、ＨＭＤの表示ユニットを眼前から退避させたりする必要がある。
【特許文献１】特開２００４−２３３９０３号公報
【発明の開示】
【発明が解決しようとする課題】
【０００３】
しかし、その要求が急に生じた場合には、表示ユニットを退避させる動作が間に合わない可能性がある。また、外界に注意の向く時間が短い場合には、その動作は非常に煩わしく感じられる。
そこで本発明は、必要に応じて簡単に映像を抑制することのできる携帯映像表示装置を提供することを目的とする。
【課題を解決するための手段】
【０００４】
本発明の携帯映像表示装置は、ユーザに対し映像を表示するための表示器と、前記表示器に対し映像信号を供給する映像再生手段と、前記映像信号の供給期間中、前記表示器に表示される映像を一時的に抑制することの可能なミュート手段とを備えたことを特徴とする。
なお、前記ミュート手段は、前記ユーザが操作可能な操作部材を有し、その操作部材が操作されている期間に前記抑制を行ってもよい。
【０００５】
また、前記ミュート手段は、前記ユーザにおける特定の状態を検出する検出手段を有し、その特定の状態を検出した期間に前記抑制を行ってもよい。
また、前記ミュート手段は、前記表示器の照明強度を低レベル又はゼロレベルに設定することにより、前記抑制を行ってもよい。
また、前記ミュート手段は、前記表示器へ供給される前記映像信号のコントラスト及び／又は輝度を低レベル又はゼロレベルに設定することにより、前記抑制を行ってもよい。
【０００６】
また、本発明の何れかの携帯映像表示装置は、前記映像再生手段が読み込み可能な映像ファイルを格納する内部メモリを更に備えてもよい。
また、本発明の何れかの携帯映像表示装置は、前記ユーザの身体に装着可能な装着体によって支持されており、前記表示器は、前記ユーザの眼前に配置可能であることが望ましい。
【０００７】
また、本発明の何れかの携帯映像表示装置は、前記ユーザに対し音声を発するための音声出力器と、前記音声出力器に対し音声信号を供給する音声再生手段とを更に備えてもよい。
なお、前記ミュート手段は、前記映像を抑制する期間に、前記音声出力器から発せられる音声をも抑制してもよい。
【０００８】
また、本発明の何れかの携帯映像表示装置は、前記音声再生手段が読み込み可能な音声ファイルを格納する内部メモリを更に備えてもよい。
また、前記音声ファイルは、前記音声再生手段及び前記映像再生手段が読み込み可能な音声付き映像ファイルであってもよい。
【発明の効果】
【０００９】
本発明によれば、必要に応じて簡単に映像を抑制することのできる携帯映像表示装置が実現する。
【発明を実施するための最良の形態】
【００１０】
［第１実施形態］
本発明の第１実施形態を説明する。本実施形態は、ＨＭＤシステムの実施形態である。
図１は、本システムの外観図である。図１に示すとおり、本システムは、ユーザの頭部に装着可能なＨＭＤ本体１００と、ユーザが携帯可能なターミナル５００とを備え、これらはケーブル２００を介して電気的に接続されている。ケーブル２００には、リモートコントローラ４００が設けられている。
【００１１】
ＨＭＤ本体１００は、左右のヘッドホン１０２Ｌ，１０２Ｒ、それらヘッドホン１０２Ｌ，１０２Ｒを支持するヘッドバンド１０３、ヘッドバンド１０３に連結されたアーム１０４、アーム１０４の先端に固定された表示ユニット１０１などからなる。
ＨＭＤ本体１００がユーザの頭部に装着された状態では、ヘッドバンド１０３は、左右のヘッドホン１０２Ｌ，１０２Ｒをユーザの左右の耳へ押し当てる。この状態で、アーム１０４は、表示ユニット１０１をユーザの一方の眼（観察眼）の前に配置する。なお、非使用時のために、アーム１０４は、ヘッドバンド１０３の内部に収容可能となっている。
【００１２】
ターミナル５００の内部には、音声付き映像ファイル（音声データ及び映像データからなる）、音声ファイル（音声データのみからなる）、映像ファイル（映像データのみからなる）等が格納されており、ターミナル５００の表面には、再生釦５０１、停止釦５０２、巻き戻し釦５０３、音声拡大釦５０４、音声縮小釦５０５、文字情報を表示可能なＬＣＤ５６０、ミュート釦５０６などの各種操作釦が設けられる。ユーザは、これらの操作釦を操作することにより、ターミナル５００に対し各種の指示を与えることができる。
【００１３】
リモートコントローラ４００には、再生釦４０１、停止釦４０２、巻き戻し釦４０３、ミュート釦４０６などの幾つかの操作釦が設けられる。これらの再生釦４０１、停止釦４０２、巻き戻し釦４０３、ミュート釦４０６の各々の機能は、ターミナル５００に設けられた再生釦５０１、停止釦５０２、巻き戻し釦５０３、ミュート釦５０６の各々の機能と同じである。
【００１４】
例えば、ユーザがターミナル５００の再生釦５０１と、リモートコントローラ４００の再生釦４０１との少なくとも一方を押下すると、ターミナル５００は、その内部に格納された何れかのファイルの再生を開始する（以下では、特に、音声付き映像ファイルが再生される場合を説明する。）。音声付き映像ファイルの再生では、ターミナル５００は、音声付き映像ファイルに含まれる映像信号及び音声信号をケーブル２００を介してＨＭＤ本体１００へと供給する。このうち、映像信号は、表示ユニット１０１へ入力され、音声信号は、ヘッドホン１０２Ｌ，１０２Ｒへ入力される。これにより、ユーザは、ヘッドホン１０２Ｌ，１０２Ｒから音声を聴き、表示ユニット１０１から映像を観察することができる。
【００１５】
図２は、本システムの構成を示すブロック図である。図２において、図１に示す要素と同じものには同じ符号を付した。また、映像信号などの信号ラインには実線矢印を、制御ラインには点線矢印を示した。
先ず、ターミナル５００には、前述したとおり、再生釦５０１，停止釦５０２，…，ミュート釦５０６，ＬＣＤ５６０が設けられる他に、音声付き映像ファイル５１１を格納した記憶部（ハードディスクメモリやＩＣメモリ）５１０、信号処理部５３０、映像出力処理部５４０、音声出力処理部５５０、ＬＣＤコントローラ５６１、制御部５２０などが備えられる。
【００１６】
記憶部５１０に格納された音声付き映像ファイル５１１は、信号処理部５３０によって読み込まれ、伸張処理などが施される。これによって、映像信号及び音声信号が順次生成される。また、音声付き映像ファイル５１１には、ファイル情報が関連づけられており、そのファイル情報も信号処理部５３０によって読み込まれる。
信号処理部５３０によって順次生成される映像信号は、映像出力処理部５４０においてゲイン調整（コントラスト調整に相当）や輝度調整などの所定の信号処理が施され、コネクタ２０１、ケーブル２００、コネクタ２０２を介してＨＭＤ本体１００へと順次供給される。
【００１７】
一方、信号処理部５３０によって順次生成される音声信号は、音声出力処理部５５０においてゲイン調整（振幅調整に相当）などの所定の信号処理が施され、コネクタ２０１、ケーブル２００、コネクタ２０２を介してＨＭＤ本体１００へと順次供給される。
また、信号処理部５３０によって読み込まれたファイル情報は、ＬＣＤコントローラ５６１において適当な信号に変換され、ＬＣＤ５６０へと与えられる。これによって、ファイル情報を表す文字イメージがＬＣＤ５６０に表示される。
【００１８】
このようなターミナル５００では、制御部５２０が、ターミナル５００の表面に設けられた再生釦５０１，停止釦５０２，…，ミュート釦５０６，リモートコントローラ４００に設けられた再生釦４０１，停止釦４０２，…，ミュート釦４０６を介してユーザからの指示を認識し、その指示に応じてターミナル５００内の各部を駆動制御する。
次に、ＨＭＤ本体１００には、前述したとおり、表示ユニット１０１、ヘッドホン１０２Ｌ，１０２Ｒが備えられ、その表示ユニット１０１の内部には、観察眼Ｅ側から順に、レンズ１０１Ｌ、ＬＣＤ１０１Ｍ、バックライト１０１Ｂなどが配置される。また、ＨＭＤ本体１００には、ＬＣＤ１０１Ｍを駆動制御するＬＣＤコントローラ１０１Ｍ’と、バックライト１０１Ｂを駆動制御するバックライトコントローラ１０１Ｂ’なども備えられる。ターミナル５００から供給される映像信号は、ＬＣＤコントローラ１０１Ｍ’へ順次入力され、ターミナル５００から供給される音声信号は、ヘッドホン１０２Ｌ，１０２Ｒへ順次入力される。
【００１９】
ＬＣＤコントローラ１０１Ｍ’は、入力される映像信号に応じてＬＣＤ１０１Ｍの各画素を駆動し、それによってＬＣＤ１０１Ｍの透過率分布を時間変調する。バックライトコントローラ１０１Ｂ’は、不図示の電源回路から供給される電力に応じてバックライト１０１Ｂへ適当な駆動電圧を与え、それにによってバックライト１０１Ｂを適当な強度で点灯させる。これによって、ＬＣＤ１０１Ｍが背後から照明され、その前面に映像が表示される。
【００２０】
ここで、バックライトコントローラ１０１Ｂ’は、バックライト１０１Ｂに与える駆動電圧を制御し、少なくとも高レベルと低レベルとの２通りの強度でバックライト１０１Ｂを点灯させることができる。高レベルは、ＬＣＤ１０１Ｍに対し適正な明るさの映像を表示させるのに必要なレベルであり、低レベルは、それよりも十分に低いレベルであって、後述するミュート状態に必要なレベルである。
【００２１】
また、ＬＣＤコントローラ１０１Ｍ’及びバックライトコントローラ１０１Ｂ’は、コネクタ２０２、ケーブル２００、コネクタ２０１を介してターミナル５００内の制御部５２０に対し電気的に接続されており、それぞれ制御部５２０によって制御される。
次に、図２及び図３に基づき再生に関する制御部５２０の動作を説明する。図３は、再生に関する制御部５２０の動作フローチャートである。
【００２２】
制御部５２０は、再生釦５０１，４０１の少なくとも一方が押下されると（ステップＳ１１ＹＥＳ）、信号処理部５３０、映像出力処理部５４０、及び音声出力処理部５５０の動作を開始させ、ＨＭＤ本体１００に対する映像信号及び音声信号の供給を開始する。それと同時に、制御部５２０は、ＬＣＤコントローラ１０１Ｍ’、及びバックライトコントローラ１０１Ｂ’の動作も開始させる。このとき、制御部５２０は、バックライトコントローラ１０１Ｂ’に対し、バックライト１０１Ｂの点灯レベルを高レベルに設定するよう指示する。この時点で、ＬＣＤ１０１Ｍには適正な明るさの映像が表示され始め、ヘッドホン１０２Ｌ，１０２Ｒからは音声が発せられ始める。これによって、ＨＭＤ本体１００は再生状態となる（ステップＳ１２）。
【００２３】
その後、ミュート釦５０６，４０６の少なくとも一方が押下された状態になると（ステップＳ１３ＹＥＳ）、制御部５２０は、バックライトコントローラ１０１Ｂ’に対し、バックライト１０１Ｂの点灯強度を低レベルに変更するよう指示する（ステップＳ１４）。これによって、ＬＣＤ１０１Ｍの映像は全体的に暗くなり、ＨＭＤ本体１００はミュート状態となる。
【００２４】
その後、ミュート釦５０６，４０６の双方が押下されていない状態に戻ると（ステップＳ１５ＹＥＳ）、制御部５２０は、バックライトコントローラ１０１Ｂ’に対し、バックライト１０１Ｂの点灯強度を高レベルに戻すよう指示する（ステップＳ１６）。これによって、ＬＣＤ１０１Ｍの映像は適正な明るさに戻り、ＨＭＤ本体１００はミュート状態から解除される（非ミュート状態）。
【００２５】
その後も、ミュート釦５０６，４０６の少なくとも一方が押下されると（ステップＳ１３ＹＥＳ）、制御部５２０は、その押下された期間のみバックライト１０１Ｂの点灯強度を低レベルに設定し（ステップＳ１４）、ＨＭＤ本体１００をミュート状態にする。
そして、停止釦５０２，４０２の少なくとも一方が押下されると（ステップＳ１７ＹＥＳ）、制御部５２０は、信号処理部５３０、映像出力処理部５４０、及び音声出力処理部５５０の動作を終了させ、ＨＭＤ本体１００に対する映像信号及び音声信号の供給を停止する（ステップＳ１８）。これによって、ＨＭＤ本体は停止状態となる（再生終了）。
【００２６】
以上、本システムによると、ＨＭＤ本体１００が再生状態にあるときにユーザがミュート釦５０６，４０６の少なくとも一方を押下すると、その押下した期間に限り、ＨＭＤ本体１００をミュート状態とし、観察眼Ｅに対する映像刺激を抑制することができる。
しかも、本システムでは、非ミュート状態とミュート状態との間の移行時に行われるのが、バックライト１０１Ｂの点灯強度の変更だけである。このとき、映像信号及び音声信号の供給状態は維持される。したがって、その移行は簡単であり、しかもスムーズである。
【００２７】
更に、本システムでは、ミュート状態であるときにもヘッドホン１０２Ｌ，１０２Ｒからは音声が発せられるので、本システムが稼働状態にあることをユーザ（視聴者）は認知できる。したがって、ユーザがミュート状態を非可動状態と誤認することは無い。
（変形例）
なお、本システムの制御部５２０は、ＨＭＤ本体１００をミュート状態とするために、バックライト１０１Ｂの点灯強度を低レベルに設定したが、ゼロレベルに設定してもよい。その場合、ＬＣＤ１０１Ｍの映像は、真っ暗となる。
【００２８】
また、本システムの制御部５２０は、ＬＣＤ１０１Ｍの映像の明るさを変更するために、バックライト１０１Ｂの点灯強度を変更したが、バックライト１０１Ｂの点灯強度の代わりに映像信号の輝度を変更してもよい。
因みに、映像信号の輝度を変更するには、例えば、制御部５２０は、映像出力処理部５４０に対し、前述した輝度調整の調整量を変更するよう指示すればよい。その調整量を低輝度側に大きくシフトさせれば、映像信号の輝度をゼロレベルにすることもできる。
【００２９】
また、本システムの制御部５２０は、観察眼Ｅに対する映像刺激を抑制するために、映像の輝度を抑制したが、映像のコントラストを抑制してもよい。映像のコントラストが低レベルに設定されると、暗くはならないものの、その変化が抑えられるので、映像刺激の抑制効果は十分にあると考えられる。
因みに、映像のコントラストを抑制するには、例えば、制御部５２０は、映像信号のコントラストを低下させるべく、映像出力処理部５４０に対し、前述したゲイン調整のゲイン値を低く設定するよう指示すればよい。そのゲイン値をゼロに設定すれば、映像信号のコントラストをゼロレベルにすることもできる。
【００３０】
また、本システムの制御部５２０は、観察眼Ｅに対する映像刺激を抑制するために、映像の輝度とコントラストの一方を抑制したが、輝度とコントラストの双方を抑制してもよい。
また、本システムの制御部５２０は、ミュート釦５０６，４０６に応じて映像刺激のみを抑制したが、映像刺激が抑制されたのと同じ期間に、音声刺激を抑制してもよい。その場合、制御部５２０は、音声信号の振幅を小さくするべく、音声出力処理部５５０に対し、前述したゲイン調整のゲイン値を低く設定するよう指示すればよい。
【００３１】
［第２実施形態］
本発明の第２実施形態を説明する。本実施形態は、ＨＭＤシステムの実施形態である。ここでは、第１実施形態との相違点のみ説明する。
図４は、本システムのターミナル５００の構成を示すブロック図である。図４において、図２に示す要素と同じものには同じ符号を付した。
【００３２】
図４に示すとおり、本システムのターミナル５００には、加速度センサ５７０と、その加速度センサ５７０が生成した信号を処理する信号処理部５７１とが備えられる。
加速度センサ５７０は、外力が加わると、それに応じて加速度信号を生成する。その加速度信号は、信号処理部５７１において速度信号に変換されてから、制御部５２０へと入力される。ターミナル５００を保持したユーザが歩行すると、速度信号も変化するので、制御部５２０は、速度信号に基づきユーザが歩行状態にあるか否かを検出することができる。
【００３３】
図５は、再生に関する制御部５２０の動作フローチャートである。図５において、図３に示すステップと同じものには同じ符号を付した。
図５のステップＳ１１〜Ｓ１８に示すとおり、本システムの制御部５２０も、第１実施形態のそれと同様、ＨＭＤ本体１００が再生状態にあるときにミュート釦５０６，４０６の少なくとも一方が押下されると（ステップＳ１３ＹＥＳ）、その押下された期間のみ、バックライト１０１Ｂの点灯強度を低レベルに設定し（ステップＳ１４）、それによってＨＭＤ本体１００をミュート状態にする。
【００３４】
但し、本システムの制御部５２０は、ミュート釦５０６，４０６の双方が押下されなくとも（ステップＳ１３ＮＯ）、前述した速度信号に基づきユーザが歩行が開始されたことを検出すると（ステップＳ１９ＹＥＳ）、バックライト１０１Ｂの点灯強度を低レベルに設定し（ステップＳ１４）、ＨＭＤ本体１００をミュート状態にする。その後、制御部５２０は、前述した速度信号に基づきユーザの歩行が終了したことを検出すると（ステップＳ２０ＹＥＳ）、バックライト１０１Ｂの点灯強度を高レベルに戻し（ステップＳ１６）、ＨＭＤ本体１００をミュート状態から解除する（非ミュート状態）。
【００３５】
したがって、本システムでは、ＨＭＤ本体１００が再生状態にあるときにユーザが歩行すると、ミュート釦５０６，４０６の操作の有無に拘わらず、その歩行期間に限り、ＨＭＤ本体１００が自動的にミュート状態となる。したがって、ユーザの歩行時の安全は、確実に確保される。
なお、本システムでは、加速度センサ５７０と信号処理部５７１との双方の搭載先がターミナル５００であったが、加速度センサ５７０と信号処理部５７１との一方又は双方の搭載先はＨＭＤ本体１００側であってもよい。
【００３６】
また、本システムでは、歩行状態を検出するために加速度センサ５７０が用いられたが、歩行状態を検出できるのであれば、加速度センサ以外のセンサが用いられても構わない。
また、本システムは、第１実施形態の変形例と同様に変形することが可能である。
また、本システムにおいては、上述した加速度センサ５７０の代わりに、表示ユニット１０１の前方側（ユーザとは反対側）に物体検知センサを設け、その物体検知センサが物体を検出した期間にミュート状態を実現させてもよい。
【００３７】
また、本システムにおいて、上述した加速度センサ５７０と物体検知センサとの両方を設け、歩行状態が検出された期間と物体が検出された期間との双方の期間にミュート状態を実現させてもよい。
なお、物体検知センサには、赤外線や電波を用い、その反射波を検出して判別する方式や、前方画像から障害物の有無を判別する方式など、各種の方式を適用することが可能である。
【００３８】
［第３実施形態］
本発明の第３実施形態を説明する。本実施形態は、ＨＭＤシステムの実施形態である。ここでは、第１実施形態との相違点のみ説明する。
図６は、本システムのターミナル５００の構成を示すブロック図である。図６において、図２に示す要素と同じものには同じ符号を付した。
【００３９】
図６に示すとおり、本システムのターミナル５００には、ミュートモード切替釦５０７が設けられる。ミュートモード切替釦５０７は、ミュート状態から解除する際の移行速度をユーザが予め設定するための釦であり、その移行速度には、「通常」と「緩やか」との２種類がある。制御部５２０は、このミュートモード切替釦５０７の操作内容に基づき、ユーザの設定内容が「通常」と「緩やか」との何れであるかを認識する。
【００４０】
図７は、再生に関する制御部５２０の動作フローチャートである。図７において、図３に示すステップと同じものには同じ符号を付した。
図７に示すとおり、本システムの制御部５２０も、第１実施形態のそれと同様、ＨＭＤ本体１００が再生状態にあるときにミュート釦５０６，４０６の少なくとも一方が押下されると（ステップＳ１３ＹＥＳ）、その押下された期間のみ、バックライト１０１Ｂの点灯強度を低レベルに設定し（ステップＳ１４）、ＨＭＤ本体１００をミュート状態にする。
【００４１】
但し、本システムの制御部５２０は、ＨＭＤ本体１００のミュート状態を解除する際（ステップＳ１５ＹＥＳの直後）に、ミュートモード切替釦５０７を介してユーザの設定内容を参照する（ステップＳ２１）。そして、設定内容が「通常」であった場合には（ステップＳ２１ＹＥＳ）、バックライト１０１Ｂの点灯強度を急峻な速度で高レベルへ戻す（ステップＳ１６）。一方、設定内容が「緩やか」であった場合には（ステップＳ２１ＮＯ）、バックライト１０１Ｂの点灯強度を緩やかな速度で高レベルへ戻す（ステップＳ１６’）。
【００４２】
つまり、本システムでは、ユーザの設定内容が「通常」であった場合、バックライト１０１Ｂの点灯強度のプロファイルは、図８（Ａ）に示すとおりとなり、ユーザの設定内容が「緩やか」であった場合、バックライト１０１Ｂの点灯強度のプロファイルは、図８（Ｂ）に示すとおりとなる。図８（Ａ），（Ｂ）において符号Ｔで示す期間が、ミュート釦５０６，４０５の少なくとも一方が押下された期間である。このうち、図８（Ｂ）のプロファイルを実現するには、バックライト１０１Ｂの点灯強度を低レベルから高レベルへと戻す際に、制御部５２０がバックライトコントローラ１０１Ｂ’に対し、バックライト１０１Ｂに与えるべき駆動電圧を時間に応じて緩やかに増加させるよう指示すればよい。
【００４３】
図８（Ｂ）のプロファイルによると、ミュート状態から解除されるときの移行速度が緩やかになるので、急激な変化による観察眼Ｅの疲労を避けることができる。
なお、本システムは、第１実施形態の変形例と同様に変形することが可能である。
因みに、バックライト１０１Ｂの点灯強度の代わりに映像信号の輝度を変更する場合、ユーザの設定内容が「緩やか」であったときには、ミュート状態を解除する際に、映像出力処理部５４０による輝度調整の調整量を、時間に応じて緩やかに変化させればよい。
【００４４】
また、映像信号のコントラストを変更する場合、ユーザの設定内容が「緩やか」であったときには、ミュート状態を解除する際に、映像出力処理部５４０によるゲイン調整のゲイン値を、時間に応じて緩やかに変化させればよい。
また、映像刺激と同時に音声刺激を抑制する場合、ユーザの設定内容が「緩やか」であったときには、ミュート状態を解除する際に、音声出力処理部５５０によるゲイン調整のゲイン値を、時間に応じて緩やかに変化させればよい。
【００４５】
［その他］
なお、上述した第３実施形態は、第１実施形態の一部を変形したものであったが、第２実施形態の一部を同様に変形してもよい。
また、上述した各実施形態では、ＨＭＤ本体１００と、リモートコントローラ４００と、ターミナル５００とをケーブル２００で接続してなるＨＭＤシステムを説明したが、リモートコントローラ４００を省略し、そのリモートコントローラ４００の機能をＨＭＤ本体１００の側へ搭載してもよい。また、ターミナル５００を省略し、ターミナル５００の機能をＨＭＤ本体１００の側へ搭載してもよい。
【００４６】
また、上述した各実施形態は、ＨＭＤシステムの実施形態であったが、アイグラスディスプレイ（外観が眼鏡状をしており、映像と外界とを同時に観察させるシースルータイプである。）にも本発明は適用可能である。
また、上述した各実施形態に、更に次のような機能を付加しておいてもよい。
例えば、ミュート状態に移行したときに、それまで再生されていた映像ファイルデータ及び音声ファイルデータの再生位置を記憶しつつ、ファイルデータの映像信号及び音声信号への再生変換を中止させておいてもよい。このような機能は、ユーザ側で機能発現の有無を設定できるようにしてもよいし、予め機能発現するように製造者側で設定していてもよい。
【図面の簡単な説明】
【００４７】
【図１】本システムの外観図である。
【図２】第１実施形態のシステムの構成を示すブロック図である。
【図３】第１実施形態の制御部５２０の動作フローチャートである。
【図４】第２実施形態のターミナル５００の構成を示すブロック図である。
【図５】第２実施形態の制御部５２０の動作フローチャートである。
【図６】第３実施形態のターミナル５００の構成を示すブロック図である。
【図７】第３実施形態の制御部５２０の動作フローチャートである。
【図８】バックライト１０１Ｂの点灯強度のプロファイルを示す図である。
【符号の説明】
【００４８】
１００…ＨＭＤ本体，４００…リモートコントローラ，５００…ターミナル，１０１…表示ユニット，５０６，４０６…ミュート釦
【図１】
2007221647.tif 000003
【図２】
2007221647.tif 000004
【図３】
2007221647.tif 000005
【図４】
2007221647.tif 000006
【図５】
2007221647.tif 000007
【図６】
2007221647.tif 000008
【図７】
2007221647.tif 000009
【図８】
2007221647.tif 000010